(57)【要約】【課題】導光板の前後方向のスペースを確保可能な遊技機を提供する。【解決手段】遊技盤と、遊技盤に配設された導光板７４０の外周側において導光板と平行に配置された基板とを備えた遊技機であって、基板は、導光板７４０の板面に対して実質的に垂直な方向に光を照射する第１発光体と、第１発光体の光の照射方向と実質的に直交し、導光板７４０の外周端面に向けて光を照射する第２発光体とを有する構成とした。【選択図】図３
2018047022.tif 000002
【特許請求の範囲】
【請求項１】
遊技盤と、
前記遊技盤に配設された導光板の外周側に配置された基板と、
を備えた遊技機であって、
前記基板は、前記導光板の板面に対して実質的に垂直な方向に光を照射する第１発光体と、
前記第１発光体の光の照射方向と実質的に直交し、前記導光板の外周端面に向けて光を照射する第２発光体と、
を有することを特徴とする遊技機。
【請求項２】
前記基板の前方に前記第１発光体から照射される光によって発光する意匠部を有する意匠板が配設されたことを特徴とする請求項１記載の遊技機。
【請求項３】
前記基板上に、前記第１発光体から照射される光が、前記導光板の外周端面に入射することを防止する隔壁部が設けられたことを特徴とする請求項１又は請求項２記載の遊技機。
【請求項４】
前記第１発光体が前記基板上における前記導光板の外周端面とは離れる位置において、当該外周端面の延長方向に沿って複数配置され、
前記第２発光体が前記基板上における前記導光板の外周端面と近づく位置において、当該外周端面の延長方向に沿って複数配置され、
前記隔壁部が前記基板上における前記複数の第１発光体及び前記複数の第２発光体の間の位置において、前記複数の第１発光体の配列寸法に対応して延長することを特徴とする請求項３に記載の遊技機。
【発明の詳細な説明】
【技術分野】
【０００１】
本発明は、遊技機に関し、特に導光板を備えた遊技機に関する。
【背景技術】
【０００２】
従来、遊技機の一例としてのパチンコ機には、複数の釘や入賞部品が配設された遊技盤に液晶表示装置からなる演出表示装置やその他の装飾部材を設け、液晶表示装置上に表示される多様な演出表示や、装飾部材の発光演出等によって遊技の興趣を高める工夫がなされている。また、特許文献に示すように、近年においては、導光板と呼ばれる薄板を表示装置の前方に設けた遊技機が知られており、演出表示の一環として導光板を様々なタイミングで発光させることにより、導光板に所定のキャラクターや背景といった画像を浮かび上がらせるような演出を行う遊技機が提案されている。
【先行技術文献】
【特許文献】
【０００３】
【特許文献１】特開２０１５−１９２９１２号公報
【発明の概要】
【発明が解決しようとする課題】
【０００４】
上記導光板を有するパチンコ機として、特許文献１には、演出表示装置の前方に配置された導光板の端面位置において、当該導光板と前後方向に対向し、前方に向けて光を照射する所謂トップ型ＬＥＤを配置し、当該ＬＥＤからの光を反射手段によって反射させることにより、導光板上に所定の形状を浮かび上がらせる構成が開示されている。
しかしながら、上記構成にあっては、導光板に対向するようにＬＥＤが配置される構成であるため、ＬＥＤ自体の寸法及びＬＥＤが搭載された基板の設置スペースの確保の観点から、前後方向（奥行方向）の空間が侵食され、導光板の前方や後方における可動体その他の設置スペースに制約が生じるという欠点がある。
【０００５】
本発明は、上記課題を解決すべくなされたものであって、導光板の前後方向のスペース
を確保可能な遊技機を提供する。
【課題を解決するための手段】
【０００６】
上記課題を解決するための本発明の構成として、遊技盤と、遊技盤に配設された導光板の外周側に配置された基板とを備えた遊技機であって、基板は、導光板の板面に対して実質的に垂直な方向に光を照射する第１発光体と、第１発光体の光の照射方向と実質的に直交し、導光板の外周端面に向けて光を照射する第２発光体とを有する構成とした。
また、基板の前方に第１発光体から照射される光によって発光する意匠部を有する意匠板が配設された構成とした。
また、基板上に、第１発光体から照射される光が、導光板の外周端面に入射することを防止する隔壁部が設けられた構成とした。
また、第１発光体が基板上における導光板の外周端面とは離れる位置において、当該外周端面の延長方向に沿って複数配置され、第２発光体が基板上における導光板の外周端面と近づく位置において、当該外周端面の延長方向に沿って複数配置され、隔壁部が基板上における複数の第１発光体及び複数の第２発光体の間の位置において、複数の第１発光体の配列寸法に対応して延長する構成とした。
なお、上記発明の概要は、本発明の必要な特徴の全てを列挙したものではなく、特徴群を構成する個々の構成もまた発明となり得る。
【発明の効果】
【０００７】
上記各構成に係る遊技機によれば、導光板の前後方向のスペースを確保することができる。
【図面の簡単な説明】
【０００８】
【図１】パチンコ機の概略斜視図である。
【図２】遊技盤の概略正面図である。
【図３】飾りユニットの分解斜視図である。
【図４】ＬＥＤ基板及び導光板の概略断面図である。
【図５】パチンコ機の制御ブロック図である。
【図６】カバー板の概略背面図である。
【発明を実施するための形態】
【０００９】
以下、実施形態を通じて本発明を詳説するが、以下の実施形態は特許請求の範囲に係る発明を限定するものではなく、また実施形態の中で説明される特徴の組み合わせの全てが発明の解決手段に必須であるとは限らない。
【００１０】
［遊技機の全体構成について］
遊技機の一例としてのパチンコ機１は、遊技場の島設備に設置される縦長方形状の機枠２と、この機枠２の一側部においてヒンジ機構により開閉自在に取り付けられた本体枠３と、本体枠３内に収容された遊技盤と、本体枠３の前方において開閉可能に軸着され、中央部に配設されたガラス窓４Ａ、及びガラス窓４Ａの下方に設けられた上皿６Ａ及び下皿６Ｂを有するパネル枠４と、パネル枠４の下部一側部より前方に突設されたハンドルユニット７を主たる構成として備える。パネル枠４が本体枠３側に閉じられた状態において、パチンコ機１の前方に着座する遊技者からは、パネル枠４に配設されたガラス窓４Ａを介して本体枠３内に収容された遊技盤３０の遊技領域３１を視認することが可能である。
【００１１】
上皿６Ａの中央部には、遊技者の任意によって操作可能な操作手段としての操作機構９が配設される。操作機構９は、遊技者による押下操作が可能な円形のプッシュボタン９Ａと、当該プッシュボタン９Ａの周囲において遊技者による回動操作が可能なダイアル９Ｂとにより構成される。操作機構９は、後述する演出制御回路２００と接続されており、プッシュボタン９Ａ、及びダイアル９Ｂから出力される信号は、演出制御回路２００側に入力する。演出制御回路２００は、例えばプッシュボタン９Ａの入力タイミングに応じて演出表示装置の表示及び動作を制御する。上皿６Ａには、この他、球貸ボタンや返却ボタン等が配設されており、これらのボタン操作によって図外のＣＲユニットに投入されたＩＣカード等の記録媒体に記録された貸し球可能数に対応する遊技球の貸し出し動作、或いは記録媒体の返却動作が実行される。
【００１２】
［遊技盤の構成について］
図２に示すように、本体枠３内に収容された遊技盤３０には、外ガイドレール２７及び内ガイドレール２８によって略円形状に区画された遊技領域３１が形成される。遊技領域３１は、遊技盤３０の前面とガラス窓４Ａの後面との間に形成される空間であり、図外の発射機構により打ち出された遊技球が流下可能な領域である。遊技盤３０上には、この他、多数の釘が配設されており、遊技者のハンドルユニット７の操作によって図外の発射機構により発射された遊技球は、多数の釘や風車によって不規則に誘導されつつ遊技領域３１内を流下する。遊技領域３１は、概ね左打ち領域と右打ち領域とに分けられており、遊技球を打ち出す強度をハンドルユニット７の操作によって調整することにより、遊技球をいずれの領域上に流下させるかを選択することができる。
【００１３】
遊技盤３０の盤面には、第１始動入賞部品６０、第２始動入賞部品６２、大入賞部品６４、通過ゲート６８、及び一般入賞部品５９が配設されており、これらの入賞部品に遊技球が入球し、各部品内に内蔵されたスイッチ（第１始動口検出スイッチＳＷ１，第２始動口検出スイッチＳＷ２，大入賞口検出スイッチＳＷ３，ゲート検出スイッチＳＷ４，一般入賞口検出スイッチＳＷ５）により検出されると、各入賞部品に対応した所定数の賞球が上皿６Ａに払出される。また、遊技球が第１始動入賞部品６０、又は第２始動入賞部品６２に入球すると、上記賞球の払出しの他、大入賞部品６４を開放動作させ、所定の確率によって、遊技者にとって有利な状態を醸成する特別遊技（大当り遊技）の実行可否に関する抽選や、当該特別遊技の態様、或いは特別遊技後の遊技状態を決定するための抽選を始めとする各種の抽選が主制御回路１００により実行される。即ち、第１始動入賞部品６０、又は第２始動入賞部品６２への遊技球の入球は、上記各種の抽選を受けるための契機となるものである。
【００１４】
第１始動入賞部品６０は、遊技領域３１の左右方向中央に配設される入賞部品であって、上方開口の入球口６０ａを有している。第２始動入賞部品６２は、第１始動入賞部品６０の直下に配設される入賞部品であって、上方開口の入球口６２ａと、当該入賞口を閉鎖又は開放する開閉体６２ｂとを備える。開閉体６２ｂは、閉鎖状態と開放状態を取り得る一対の羽根状部材よりなり、当該羽根状部材が上下方向に直立した閉鎖状態にあっては、直上に位置する第１始動入賞部品６０との位置関係に位置関係により、入球口６２ａに入球することが阻止される。一方、羽根状部材が左右方向に倒伏した開放状態にあっては、遊技球の流下可能なスペースが生じ、入球口６２ａへの入球が許容される。なお、開閉体６２ｂの上記開閉動作は、後述するソレノイドＳＯＬ１の駆動によって実現される。
また、開閉体６２ｂの開放動作は、遊技領域３１の左側部に配設された通過ゲート６８への遊技球の通過を契機として、主制御回路１００により実行される開放動作の可否に関する抽選の結果が当りとなった場合に実行される。通過ゲート６８は、上下開口の門型の遊技部品であって、遊技領域３１の左側を流下する遊技球のみが通過可能となっている。
【００１５】
遊技領域３１の右下部には、大入賞部品６４が配設される。大入賞部品６４は、上方開口の横長矩形状の入球口６４ａと、当該入球口６４ａを閉鎖又は開放する開閉体６５とを有する。開閉体６５は、後述するソレノイドＳＯＬ２の駆動によって、遊技盤３０の前後方向に進退動作可能な部材であって、遊技盤３０の前方に突出した状態において入球口６４ａを閉鎖状態とし、遊技盤３０の後方に没入した状態において入球口６４ａを開放状態とする。開閉体６５の開放動作は、第１始動入賞部品６０又は第２始動入賞部品６２への遊技球の入球を契機として実行される特別遊技の実行可否に関する所定の抽選結果が当りとなった場合に実行される。複数の一般入賞部品５９は、遊技領域３１の左下部に配設される部材であって、上方開口の入球口５９ａを有する。
【００１６】
次に、遊技盤３０に搭載された各種の表示装置について説明する。図２に示すように、遊技盤３０の略中央部には、後述の導光板７４０と当該導光板７４０の後方に位置する図外の演出表示装置が配設される。演出表示装置は、例えば液晶ディスプレイからなる表示画面を備えた表示装置であって、導光板７４０の後方に位置する表示画面上には、例えば数字とキャラクターとが組み合わされた演出図柄に関する画像や、当該演出図柄の変動表示に伴って表示される予告演出やリーチ演出等を表現する静止画や動画等の画像や特別遊技中において表示される画像等、多様な種類の画像が表示される。そして、遊技者は主に表示画面に表示される演出図柄や予告演出やリーチ演出と言った変動演出を視認しながら遊技を楽しむこととなる。なお、当該演出表示装置に対する画像の表示制御は、後述の演出制御回路２００によって実行される。
【００１７】
遊技盤３０の遊技領域３１の外方には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が設けられている。各表示装置は、遊技の進行状況に応じて主制御回路１００によって制御され、その表示の変化によって遊技状況を遊技者に報知する。
【００１８】
遊技盤３０の中央部には、開口部３２が開設される。開口部３２は、前後方向に貫通する開口であって、当該開口部３２の周囲には飾りユニット７０が装着される。図３に示すように、飾りユニット７０は、意匠板７００と、カバー板７２０と、導光板７４０及び複数のＬＥＤ基板７４０ａ〜７４０ｃからなる発光板７５０と、ケース板７７０とが前後方向に積層された状態で一体化されたユニットである。遊技者がパチンコ機１の正面から開口部３２を視認した場合、当該開口部３２を介して導光板７４０に表示される画像を見ることが可能であると共に、ケース板７７０の更に後方に配設される液晶表示装置等からなる図外の演出表示装置の表示画面を見ることが可能となる。以下、飾りユニット７０の詳細について説明する。
【００１９】
意匠板７００は、開口部３２の周囲を取り囲むように枠状に形成された意匠部７０２〜７０６を有する。意匠部７０２は、開口部３２の上方に位置する領域であって、乱立するビル群をモチーフとした立体的な凹凸形状が左右方向に沿って形成されている。また、意匠部７０２の下部には、機種名を表わすロゴマークや装飾形状が施された役物構造体７０８を取着可能な取付部７０２ａが形成される。意匠部７０４は、開口部３２の右側部に位置する領域であって、上記意匠部７０２と同様に、乱立するビル群をモチーフとした立体的な凹凸形状が上下方向に沿って形成されている。意匠部７０６は、開口部３２の左側部に位置する領域であって、上部には所定のキャラクターの顔をモチーフとした立体的な凹凸形状が形成され、下部にはビル群をモチーフとした立体的な凹凸形状が形成されている。意匠部７０４；７０６は、光透過性を有するアクリル等によって形成されており、後方に位置するＬＥＤ基板７４０ｂ；７４０ｃ上に配設された複数のトップ型ＬＥＤ１から前方に向けて照射される光によって多様なパターンにより発光可能とされる。
【００２０】
意匠板７００は、外周に形成された複数の取付部を介して止めネジ等が挿入されることにより、遊技盤３０の盤面に対して取り付けられ、各意匠部７０２〜７０６は、遊技盤３０の盤面から前方に突出した状態とされる。また、遊技領域３１内に打ち出された遊技球が、意匠部７０２〜７０６の前方を通過することは不可能とされており、意匠部７０２〜７０６によって区画された開口部３２と略同形の画像視認領域Ｒ内に遊技球が進入することはない。
【００２１】
意匠板７００の後方には、カバー板７２０、及びケース板７７０により収容される発光板７５０が装着される。カバー板７２０は、上記意匠板７００の枠形状と対応するように、上方において左右方向に延長する上板部７２２と、上板部７２２の左右両側から下方に向けて延長する右板部７２４及び左板部７２６とを有する。カバー板７２０の外周部には、外側に向けて突出する複数の取付片７２０ａが形成される。各取付片７２０ａは、意匠板７００に形成された前述の取付部と対応する位置に形成されており、各取付片７２０ａと取付部とが向かい合わされた状態で止めネジ等が挿入されることにより、意匠板７００とカバー板７２０とが一体化された状態で遊技盤３０に装着される。
【００２２】
カバー板７２０の外周縁には、後方に向けて突出する側壁７２０ｂが形成される。側壁７２０ｂは、カバー板７２０が後述のケース板７７０と組み合わされた状態において、内部に収容されるＬＥＤ基板７４０ａ〜７４０ｃの外周を取り囲むように閉塞し、トップ型ＬＥＤ１及びサイド型ＬＥＤ２から照射される光が外周側に漏れだすことを防止する。
また、カバー板７２０の盤面には、各種のコネクタを挿入可能な取付穴の他、後方に位置するトップ型ＬＥＤ１から照射される光を前方に位置する意匠板７００の裏面に露光させる複数の微細な光通過孔７２７が穿設される。光通過孔７２７が形成されたことにより、当該光通過孔７２７の前方に位置する上述の意匠部７０４；７０６の所定範囲が、主にトップ型ＬＥＤ１により発光可能となる。
【００２３】
次に、カバー板７２０の後方に配置される発光板７５０について説明する。発光板７５０は、遊技盤３０の開口部３２を後方から閉塞可能な面積を有する導光板７４０と、当該導光板７４０の前面（板面）と平行に、当該導光板７４０の上縁部に沿って左右方向に延長して配置されるＬＥＤ基板７４０ａ、導光板７４０の右縁部に沿って上下方向に延長して配置されるＬＥＤ基板７４０ｂ、及び導光板７４０の左縁部に沿って上下方向に延長して配置されるＬＥＤ基板７４０ｃとが組み合わされて構成される。
【００２４】
導光板７４０の後面には、特定のキャラクターや背景を表わす表面加工が施されており、各ＬＥＤ基板７４０ａ〜７４０ｃに搭載されたサイド型ＬＥＤ２から照射される光がそれぞれ上端面７４４ａ、右端面７４４ｂ、左端面７４４ｃに入射することにより、入射方向に応じて互いに異なる画像が前面に浮かび上がるように表示される。次に、各ＬＥＤ基板７４０ａ〜７４０ｃについて説明する。
【００２５】
ＬＥＤ基板７４０ａは、導光板７４０の右上角部に開設された位置決め穴７４９ａに挿入される固定手段を介して、導光板７４０の上端側の後面に導光板７４０と一体的に固定される。ＬＥＤ基板７４０ａの前面には、左右方向に一定間隔を有して配列された複数のサイド型ＬＥＤ２からなるＬＥＤ群Ｌ１が搭載される。ここで、サイド型ＬＥＤ２は、トップ型ＬＥＤ１との比較において、光の照射方向が導光板７４０の板面と実質的に平行となるように、その発光部が導光板７４０の中央側に向けられたＬＥＤであって、ＬＥＤ群Ｌ１から照射された光は、導光板７４０の上端面７４４ａに入射する。つまり、トップ型ＬＥＤ１とサイド型ＬＥＤ２の光の照射方向は互いに実質的に直交する方向である。ＬＥＤ群Ｌ１の下部には、ＬＥＤ群Ｌ１の配列方向に沿って延長するレンズ体７４８が取り付けられる。レンズ体７４８は、ＬＥＤ群Ｌ１から照射された光を上端面７４４ａ方向に拡散させる。なお、「実質的に平行」とは、製造上の誤差、取付上の誤差、或いは上端面７４４ａへの入射角度の意図的な変更（例えば±１０°程度）を許容する概念であり、「実質的に直交」、「実質的に垂直」とは、上記各種の誤差や意図的な変更により、必ずしも９０°の角度を有する場合のみならず、例えば、±１０°程度のズレを許容するものである。また、以下の説明についても同様である。
【００２６】
これにより、導光板７４０の前面には、ＬＥＤ群Ｌ１からの光の照射に対応した画像が表示される。また、ＬＥＤ基板７４０ａには、図外のプリント配線やコネクタの接続部が設けられている他、カバー板７２０及び後述のケース板７７０の盤面に形成されたボス等の位置決め手段と係合可能な複数の取付穴７４２が開設されている。なお、これらの構成ついては、ＬＥＤ基板７４０ａ：７４０ｂについても同様であるため、説明を省略する。
【００２７】
ＬＥＤ基板７４０ｂは、前述の位置決め穴７４９ａと、導光板７４０の右下角部に開設された位置決め穴７４９ｂに挿入される固定手段を介して、導光板７４０の右端側の後面に導光板７４０と一体的に固定される。このとき、ＬＥＤ基板７４０ａとＬＥＤ基板７４０ｂとは、その前面が同一平面上に位置するように平行に配置される。
【００２８】
ＬＥＤ基板７４０ｂの前面には、複数のトップ型ＬＥＤ１と、複数のサイド型ＬＥＤ２からなるＬＥＤ群Ｌ２が搭載される。複数のトップ型ＬＥＤ１は、導光板７４０の右端面７４４ｂから離れる側において、ＬＥＤ基板７４０ａの上下方向に沿うように、前方に位置する意匠部７０４の発光部位と対応するように配置されている。トップ型ＬＥＤ１は、光の照射方向がＬＥＤ７４０ｂの板面及び導光板７４０の板面に対して実質的に垂直となるように、その発光部が前方に向けられたＬＥＤであって、トップ型ＬＥＤ１から照射された光は、光通過孔７２７を介して前方に位置する意匠部７０４に達する。なお、当該トップ型ＬＥＤ１の配列は、前方に位置する意匠部７０４における発光範囲や強度に応じて任意に設定可能であり、図示の例に限定されるものではない。
【００２９】
トップ型ＬＥＤ１と同一の板面上に配設された複数のサイド型ＬＥＤ２は、ＬＥＤ基板７４０ｂの左側部、より詳細には導光板７４０の右端面７４４ｂの近傍において、ＬＥＤ基板７４０ｂの上下方向に沿って一定間隔を有して配列され、その光の照射方向が導光板７４０の板面と実質的に平行となるように、その発光部が導光板７４０の中央側に向けられたＬＥＤであって、ＬＥＤ群Ｌ２から照射された光は、導光板７４０の右端面７４４ｂに入射する。つまり、ＬＥＤ群Ｌ２から照射された光は、導光板７４０の右端面７４４ｂに入射し、導光板７４０の前面には、ＬＥＤ群Ｌ１から光が照射された場合とは異なる画像が表示されることとなる。
【００３０】
ＬＥＤ基板７４０ｂの前面には、複数のトップ型ＬＥＤ１と、複数のサイド型ＬＥＤ２からなるＬＥＤ群Ｌ２とを左右方向に隔てる隔壁部７４６が設けられる。隔壁部７４６は、例えば、黒色に着色されたウレタンやゴムを素材とする一定の弾性と絶縁性を有するスポンジ状部材からなり、複数のトップ型ＬＥＤ１の上下の配列寸法（同図の例ではＬＥＤ基板７４０ｂの上下寸法と略同一）と対応するように延長する。
【００３１】
図４は、カバー板７２０及びケース板７７０の間に収容されたＬＥＤ基板７４０ｂと、導光板７４０との関係を説明する概略断面図である。同図に示すように、ＬＥＤ基板７４０ｂ上に隔壁部７４６が設けられたことにより、ＬＥＤ基板７４０ｂの収容空間は、複数のトップ型ＬＥＤ１が配置された空間Ｓ１と、ＬＥＤ群Ｌ２が配置された空間Ｓ２とに区画される。そして、トップ型ＬＥＤ１から前方に向けて照射される光は、黒色に着色された隔壁部７４６の存在により、ＬＥＤ群Ｌ２が配置された空間内に露光することがなく、カバー板７２０に穿設された光通過孔７２７を介して前方に位置する意匠部７０４の裏面を照らすこととなる。つまり、トップ型ＬＥＤ１から照射される光は、ＬＥＤ群Ｌ２が配置された空間Ｓ２側に達することがなく、導光板７４０の右端面７４４ｂに光が達することにより、導光板７４０の一部に意図しない所定の画像が表示されてしまう不都合を防止することができる。ここで、隔壁部７４６の厚さ（奥行）寸法Ｗ１を導光板７４０の厚さ寸法よりも予め僅かに大となるように設定し、カバー板７２０及びケース板７７０を一体化する際に導光板７４０の右端面７４４ｂを挟み込むと共に、隔壁部７４６を、その弾性によって押し潰しながら収容することにより、カバー板７２０及びケース板７７０間に隔壁部７４６を隙間なく配置することが可能となる。
【００３２】
図３に戻り、ＬＥＤ基板７４０ｃは、導光板７４０の左下角部に開設された位置決め穴７４９ｃに挿入される固定手段を介して、導光板７４０の左端側の後面に導光板７４０と一体的に固定される。このとき、ＬＥＤ７４０ｃ、ＬＥＤ基板７４０ａ及びＬＥＤ基板７４０ｂは、その前面が同一平面上に位置するように平行に配置される。
【００３３】
ＬＥＤ基板７４０ｃの前面下部には、複数のトップ型ＬＥＤ１が搭載される。複数のトップ型ＬＥＤ１は、ＬＥＤ基板７４０ｃの下部において上下方向に沿うように、前方に位置する意匠部７０６の発光部位と対応するように配置されている。なお、複数のトップ型ＬＥＤ１の光の照射方向は、前述の複数のトップ型ＬＥＤ１と同様である。当該トップ型ＬＥＤ１の配列は、前方に位置する意匠部７０６における発光範囲や強度に応じて任意に設定可能である。
【００３４】
ＬＥＤ基板７４０ｃには、複数のサイド型ＬＥＤ２からなるＬＥＤ群Ｌ３が搭載される。具体的には、複数のサイド型ＬＥＤ２は、ＬＥＤ基板７４０ｃの右側部、より詳細には導光板７４０の左端面７４４ｃの近傍において、ＬＥＤ基板７４０ｃの上下方向に沿って一定間隔を有して配列され、その光の照射方向が導光板７４０の板面と実質的に平行となるように、その発光部が導光板７４０の中央側に向けられたＬＥＤであって、ＬＥＤ群Ｌ３から照射された光は、導光板７４０の左端面７４４ｃに入射する。つまり、ＬＥＤ群Ｌ３から照射された光は、導光板７４０の左端面７４４ｃに入射し、導光板７４０の前面には、ＬＥＤ群Ｌ１又はＬ２から光が照射された場合とは異なる画像が表示されることとなる。
【００３５】
ＬＥＤ基板７４０ｃの前面における複数のトップ型ＬＥＤ１が配置された範囲には、複数のトップ型ＬＥＤ１と、複数のサイド型ＬＥＤ２からなるＬＥＤ群Ｌ３とを左右方向に隔てる隔壁部７４６が設けられる。当該隔壁部７４６については、前述のＬＥＤ基板７４０ｂに配設されたものと同様であるので説明を省略するが、当該隔壁部７４６が複数のトップ型ＬＥＤ１が配置された範囲（トップ型ＬＥＤ１の配列寸法）と対応するように延長して設けられたことにより、トップ型ＬＥＤ１から照射される光が、導光板７４０の左端面７４４ｃに入射することがなくなり、導光板７４０の前面に意図しない画像が表示されることを防止できる。
【００３６】
以上説明したとおり、本実施形態における発光板７５０は、遊技盤３０の盤面と平行に配置された導光板７４０に対して、当該導光板７４０の周囲において導光板７４０の前面と平行となるように配置された複数のＬＥＤ基板７４０ａ〜７４０ｃを備えたことにより、導光板７４０に垂直な奥行方向の寸法を省略することができ、省スペース化を図ることができる。
また、複数のＬＥＤ基板７４０ｂ；７４０ｃにあっては、互いに光の照射方向が異なる（直交する）複数のＬＥＤ（トップ型ＬＥＤ１；サイド型ＬＥＤ２）が同一面上に搭載されると共に、ＬＥＤ基板７４０ｂ；７４０ｃ上に、トップ型ＬＥＤ１が配列された範囲（配列寸法）と対応して延長する隔壁部７４６が設けられたことにより、意匠部７０４；７０６を照らすトップ型ＬＥＤ１の光が隔壁部７４６によって遮られるため、導光板７４０に意図しない画像が表示される不都合を防止することが可能となる。
【００３７】
次に、ＬＥＤ基板７４０ａ〜７４０ｃの後方に位置するケース板７７０について説明する。前述のとおり、ケース板７７０は、カバー板７２０と前後方向に組み合わされることによって、ＬＥＤ基板７４０ａ〜７４０ｃの収容空間を形成する部材であって、カバー板７２０の上板部７２２と対応するように左右方向に延長する上ケース部７７２と、当該上ケース部７７２の左右両側から下方に向けて延長し、右板部７２４及び左板部７２６とそれぞれ対応する右ケース部７７４及び左ケース部７７６を有する。図３に示すように、ケース板７７０には、前方に突出するリブによって区画された複数のコネクタの挿通孔や放熱用の開口部が設けられており、リブによってＬＥＤ基板７４０ａ〜７４０ｃの後面を支持する。また、ケース板７７０の板面には、前方に位置するＬＥＤ基板７４０ａ〜７４０ｃの位置決め及びカバー板７２０との一体化を図るための複数のボスが突設されている。
そして、ＬＥＤ基板７４０ａ〜７４０ｃを内部に収容した状態で、カバー板７２０とケース板７７０を前後方向に組み付けることにより、意匠板７００と発光板７５０とが開口部３２周りにおいて一体的に取り付けられる。
【００３８】
図６は、他の実施形態に係る隔壁部７４６を示す背面図である。図３の例では、隔壁部７４６をＬＥＤ基板７４０ｂ；７４０ｃ上に配置した形態を示したが、同図に示すように、隔壁部７４６をカバー板７２０の後面側に配置してもよい。同図において右板部７２４の後面には、上下方向の略全域に延長する位置決め用のリブ７４７が形成されており、隔壁部７４６が当該リブ７４７によって囲まれるように配置される。なお、当該隔壁部７４６及びリブ７４７の位置は、後方に位置する複数のＬＥＤ１とＬＥＤ群Ｌ２との間であって、複数のＬＥＤ１からの光がＬＥＤＬ２側（導光板７４０側）に露光しない位置に設定される。また、左板部７２６の後面下部にも、上下方向に延長する位置決め用のリブ７４７に囲まれた隔壁部７４６が配置されており、複数のＬＥＤ１からの光がＬＥＤＬ３側（導光板７４０側）に露光しない構成とされている。以上のとおり、隔壁部７４６は、カバー板７２０とＬＥＤ基板７４０ｂ；７４０ｃとの間に介在していれば良く、その取り付け方法については問わない。
【００３９】
［パチンコ機の内部構成について］
図５は、パチンコ機１の制御を担う制御手段の構成を示すブロック図である。同図に示すように、パチンコ機１は、主として遊技全般に係る基本動作を制御する主制御回路１００と、主として払出動作を制御する払出制御回路１５０と、主として遊技球の発射動作を制御する発射制御回路１６０及び、演出制御回路２００とを備える。
【００４０】
主制御回路１００は、（メイン）ＣＰＵ１００ａ、（メイン）ＲＯＭ１００ｂ、及び（メイン）ＲＡＭ１００ｃを備えてなり、ＣＰＵ１００ａが後述する各検出スイッチやタイマからの入力に対応してＲＯＭ１００ｂに予め格納されたプログラムを読み出して、当該プログラムに従った演算処理を行い、主制御回路１００に接続された上述の各装置を直接的に制御したり、他の制御回路に多様なコマンドを送信する。また、このときＲＡＭ１００ｃは、ＣＰＵ１００ａの演算処理時におけるワークエリアとして機能し、演算に必要な各種のデータや、コマンドを一時的に保持する。
【００４１】
同図に示すように、主制御回路１００には、第１始動入賞部品６０への遊技球の入球を検出する第１始動口検出スイッチＳＷ１、第２始動入賞部品６２への遊技球の入球を検出する第２始動口検出スイッチＳＷ２、大入賞部品６４への遊技球の入球を検出する大入賞口検出スイッチＳＷ３、通過ゲート６８への遊技球の通過を検出するゲート検出スイッチＳＷ４及び一般入賞部品５９への遊技球の入球を検出する一般入賞口検出スイッチＳＷ５が接続されており、各検出スイッチから出力された検出信号が主制御回路１００側に入力する。
【００４２】
また、主制御回路１００には、前述の第２始動入賞部品６２に設けられた開閉体６２ｂを開閉動作させるためのソレノイドＳＯＬ１、及び大入賞部品６４に設けられた開閉体６５を開閉動作させるためのソレノイドＳＯＬ２が接続され、これらのソレノイドが主制御回路１００によって直接的に制御される。また、主制御回路１００には、第１特別図柄表示装置３５Ａ、第２特別図柄表示装置３５Ｂ、第１特別図柄保留表示装置３６Ａ、第２特別図柄保留表示装置３６Ｂ、普通図柄表示装置３７、及び普通図柄保留表示装置３８が接続されており、これらの表示装置が主制御回路１００によって直接的に制御される。
【００４３】
主制御回路１００には、払出制御回路１５０、及び演出制御回路２００が接続されている。払出制御回路１５０は、主制御回路１００と同様に不図示のＣＰＵ、ＲＯＭ、ＲＡＭを備えたマイクロコンピュータであって、主制御回路１００と通信可能に接続されている。また、主制御回路１００と払出制御回路１５０とには、外部情報出力端子板１５１が接続されている。外部情報出力端子板１５１は、主制御回路１００（ＣＰＵ１００ａ）及び払出制御回路１５０（払出ＣＰＵ）から出力された遊技の進行に関する種々の情報をパチンコ機１の設置店等に設けられたホストコンピュータ側に送信する。
【００４４】
払出制御回路１５０には、遊技者に対して賞球を払い出すための払出モータ１５２、及び賞球数計数スイッチ１５３が接続されている。払出制御回路１５０は、主制御回路１００から送信される払出コマンドに含まれる賞球数情報に基づいて所定の賞球数が払い出されるように払出モータ１５２を制御する。当該払出モータ１５２の駆動により払い出された賞球は、賞球数計数スイッチ１５３により検出され、払出制御回路１５０側において、適正な賞球数が払い出されたかが把握される。なお、払出制御回路１５０には、この他、上皿６Ａに許容数以上の遊技球が貯留されていることを検知する皿満タン検出スイッチ１５４や、パネル枠４や本体枠３の扉が開放していることを検知する扉開放検出スイッチ１５５等の各種のスイッチが接続される。
【００４５】
また、発射制御回路１６０には、ハンドルユニット７内に搭載されたタッチセンサ１６１、発射ボリューム１６２、図外の発射機構内に上皿６Ａに貯留された遊技球を送り込む球送りモータ１６３、及び発射機構内に格納された球発射モータ１６４が接続されている。発射制御回路１６０は、払出制御回路１５０からの発射許可およびタッチセンサ１６１からの入力を条件として、遊技者によるハンドルユニット７の操作量に応じて変化する発射ボリューム１６２からの入力信号に基づいて球発射モータ１６４を制御し、上皿６Ａに貯留された遊技球を所定の発射力により遊技領域３１内に打ち出す。
【００４６】
演出制御回路２００は、遊技進行中や待機中における各種の演出表示や演出動作を制御する。演出制御回路２００は、（サブ）ＣＰＵ２００ａ、（サブ）ＲＯＭ２００ｂ、（サブ）ＲＡＭ２００ｃを備えてなり、主制御回路１００に対して主制御回路１００から演出制御回路２００に対してのみ通信（一方向通信）が可能なように接続されている。当該演出制御回路２００は、主制御回路１００から送信される演出に関する各種のコマンドや内部タイマからの入力信号に基づいて、ＲＯＭ２００ｂに予め格納されたプログラムを読み出して当該プログラムに従った演算処理を行い、演出制御回路２００に接続された図外の演出表示装置に表示される画像の表示制御、ＬＥＤ基板７４０ａ〜７４０ｃに搭載された各ＬＥＤによる導光板７４０や意匠部７０４；７０６等の発光制御、遊技進行中における楽曲や効果音などの音声をスピーカユニット８から出力させる音声出力制御等を実行する。なお、このときＲＡＭ２００ｃは、ＣＰＵ２００ａの演算処理時におけるワークエリアとして機能し、演算に必要な各種のデータや、コマンド等を一時的に保持する。
また、演出制御回路２００は、ＣＰＵ２００ａと接続され、当該ＣＰＵ２００ａより送信される画像表示に係る各種のコマンドを受信して演出表示装置に多様な画像を表示するためのＶＤＰ、及び上記画像表示処理中に必要な各種のデータ等を一時的に保存するＶＲＡＭ、音声制御のための音声合成ＬＳＩ等、各種制御に必要なハードウェアを備えている。また、演出制御回路２００には、遊技者の任意に操作可能な前述の操作機構９が接続されており、例えば当該操作機構９の操作タイミングに合せて前述の各制御を実行し、操作機構９の操作タイミングに従った所定の演出を表現することが可能である。
【００４７】
また、図示は省略するが、上述の各制御回路には電源供給回路が接続されており、当該電源供給回路に設けられた電源スイッチの操作により、遊技設置店側の外部電源から電源が供給され、該外部電源を各制御回路の動作に必要な電源として生成し、各制御回路に生成した電源を供給することで各制御回路が起動する。また、電源供給回路には、コンデンサ等のバックアップ用電源が搭載されており、断電時においては当該バックアップ用電源から主制御回路１００及び払出制御回路１５０に対して電力が供給され、これら２つの制御回路のＲＡＭに格納された各種のデータやコマンドが保持される。また、電源供給回路には、演出制御回路２００に対する専用のバックアップ用電源も搭載されており、断電時においては当該専用のバックアップ用電源からの電力供給によりＲＡＭに格納された各種のデータやコマンドの一部が別途搭載されたバックアップ用ＲＡＭに格納される。
【００４８】
以上、本発明を実施の形態に基づいて説明したが、本発明の技術的範囲は上記実施形態に何ら限定されることはなく、実施形態を組み合わせて多様な変更、改良を行い得ることが当業者において明らかである。また、そのような多様な変更、改良を加えた形態も本発明の技術的範囲に含まれ得ることが特許請求の範囲の記載から明らかである。
【符号の説明】
【００４９】
１  パチンコ機， ３０  遊技盤，３２  開口部，７０  飾りユニット，
７００  意匠板，７２０  カバー板，７４０  導光板，
７４０ａ〜７４０ｃ  ＬＥＤ基板，７４６  隔壁部，
７５０  発光板，７７０  ケース板
【図１】
2018047022.tif 000003
【図２】
2018047022.tif 000004
【図３】
2018047022.tif 000005
【図４】
2018047022.tif 000006
【図５】
2018047022.tif 000007
【図６】
2018047022.tif 000008